【手続補正書】
【提出日】平成21年1月28日(2009.1.28)
【手続補正１】
【補正対象書類名】特許請求の範囲
【補正対象項目名】全文
【補正方法】変更
【補正の内容】
【特許請求の範囲】
【請求項１】
絶縁性液体中にトナー粒子が分散した液体現像剤を用いて、記録媒体上に画像を形成す
る液体現像装置であって、
前記液体現像剤を貯留する液体現像剤貯留部と、
前記液体現像剤貯留部より供給された前記液体現像剤を用いて像を形成する現像部と、
前記現像部で形成された像を前記記録媒体上に転写し、転写像を形成する転写部と、
前記現像部および前記転写部の少なくともいずれかにおいて残存した前記液体現像剤を回収する回収部と、
前記回収部で回収された前記液体現像剤の特性の変化の度合いを検知する特性変化検知手段と、を有し、
前記絶縁性液体は、不飽和脂肪酸成分を含むものであり、
前記特性変化検知手段によって検知された特性の変化の度合いによって、現像条件を調整するよう構成されていることを特徴とする液体現像装置。
【請求項２】
不飽和脂肪酸成分を含む絶縁性液体およびトナー粒子を有する液体現像剤を貯留する液体現像剤貯留部と、
前記液体現像剤貯留部より供給された前記液体現像剤を用いて像を形成する現像部と、
前記現像部で形成された前記像を記録媒体上に転写し、転写像を形成する転写部と、
前記現像部および前記転写部の少なくともいずれかにおいて残存した前記液体現像剤を回収する回収部と、
前記回収部で回収された前記液体現像剤の特性の変化の度合いを検知する特性変化検知手段と、を有し、
前記特性の変化の度合いによって、現像条件を調整することを特徴とする液体現像装置。
【請求項３】
前記特性変化検知手段は、前記現像部において回収された前記液体現像剤を用いて、前記特性の変化の度合いを検知する請求項１または２に記載の液体現像装置。
【請求項４】
前記特性変化検知手段は、前記液体現像剤の色の変化を測定することにより前記特性の変化の度合いを検知する請求項１ないし３のいずれか１項に記載の液体現像装置。
【請求項５】
前記特性変化検知手段は、前記液体現像剤の粘度の変化を測定することにより前記特性の変化の度合いを検知する請求項１ないし４のいずれか１項に記載の液体現像装置。
【請求項６】
前記特性変化検知手段は、前記液体現像剤の電気抵抗の変化を測定することにより前記特性の変化の度合いを検知する請求項１ないし５のいずれか１項に記載の液体現像装置。
【請求項７】
前記現像部は現像ローラへ前記液体現像剤を供給する液供給ローラを有し、前記現像条件の調整は前記液供給ローラの回転速度の調整である請求項１または２に記載の液体現像装置。
【請求項８】
不飽和脂肪酸成分を含む絶縁性液体およびトナー粒子を有する液体現像剤を貯留する液体現像剤貯留部と、
前記液体現像剤貯留部より供給された前記液体現像剤を用いて像を形成する現像部と、
前記現像部で形成された前記像を記録媒体上に転写し、転写像を形成する転写部と、
前記現像部および／または前記転写部において残存した前記液体現像剤を回収する回収部と、
前記回収部で回収された前記液体現像剤の特性の変化の度合いを検知する特性変化検知手段と、
前記記録媒体上に形成された前記像を定着する定着装置と、を有し、
前記特性の変化の度合いによって、現像条件を調整することを特徴とする画像形成装置。
【手続補正２】
【補正対象書類名】明細書
【補正対象項目名】０００６
【補正方法】変更
【補正の内容】
【０００６】
このような目的は、下記の本発明により達成される。
本発明の液体現像装置は、絶縁性液体中にトナー粒子が分散した液体現像剤を用いて、記録媒体上に画像を形成する液体現像装置であって、
前記液体現像剤を貯留する液体現像剤貯留部と、
前記液体現像剤貯留部より供給された前記液体現像剤を用いて像を形成する現像部と、
前記現像部で形成された像を前記記録媒体上に転写し、転写像を形成する転写部と、
前記現像部および前記転写部の少なくともいずれかにおいて残存した前記液体現像剤を回収する回収部と、
前記回収部で回収された前記液体現像剤の特性の変化の度合いを検知する特性変化検知手段と、を有し、
前記絶縁性液体は、不飽和脂肪酸成分を含むものであり、
前記特性変化検知手段によって検知された特性の変化の度合いによって、現像条件を調整するよう構成されていることを特徴とする。
これにより、得られる画像の画質の低下を防止することができ、かつ、環境に優しい液体現像装置を提供することができる。
また、本発明の液体現像装置は、不飽和脂肪酸成分を含む絶縁性液体およびトナー粒子を有する液体現像剤を貯留する液体現像剤貯留部と、
前記液体現像剤貯留部より供給された前記液体現像剤を用いて像を形成する現像部と、
前記現像部で形成された前記像を記録媒体上に転写し、転写像を形成する転写部と、
前記現像部および前記転写部の少なくともいずれかにおいて残存した前記液体現像剤を回収する回収部と、
前記回収部で回収された前記液体現像剤の特性の変化の度合いを検知する特性変化検知手段と、を有し、
前記特性の変化の度合いによって、現像条件を調整することを特徴とする。
これにより、得られる画像の画質の低下を防止することができ、かつ、環境に優しい液体現像装置を提供することができる。
【手続補正３】
【補正対象書類名】明細書
【補正対象項目名】０００７
【補正方法】変更
【補正の内容】
【０００７】
本発明の液体現像装置では、前記特性変化検知手段は、前記現像部において回収された前記液体現像剤を用いて、前記特性の変化の度合いを検知することが好ましい。
これにより、液体現像剤貯留部内における液体現像剤の特性の変化をより効果的に検知することができる。
本発明の液体現像装置では、前記特性変化検知手段は、前記液体現像剤の色の変化を測定することにより前記特性の変化の度合いを検知することが好ましい。
これにより、簡便に液体現像剤の特性の変化の度合いを判定することができる。
【手続補正４】
【補正対象書類名】明細書
【補正対象項目名】０００８
【補正方法】変更
【補正の内容】
【０００８】
本発明の液体現像装置では、前記特性変化検知手段は、前記液体現像剤の粘度の変化を測定することにより前記特性の変化の度合いを検知することが好ましい。
これにより、簡便に液体現像剤の特性の変化の度合いを判定することができる。
本発明の液体現像装置では、前記特性変化検知手段は、前記液体現像剤の電気抵抗の変化を測定することにより前記特性の変化の度合いを検知することが好ましい。
これにより、簡便に液体現像剤の特性の変化の度合いを判定することができる。
本発明の液体現像装置では、前記現像部は現像ローラへ前記液体現像剤を供給する液供給ローラを有し、前記現像条件の調整は前記液供給ローラの回転速度の調整であることが好ましい。
本発明の画像形成装置は、不飽和脂肪酸成分を含む絶縁性液体およびトナー粒子を有する液体現像剤を貯留する液体現像剤貯留部と、
前記液体現像剤貯留部より供給された前記液体現像剤を用いて像を形成する現像部と、
前記現像部で形成された前記像を記録媒体上に転写し、転写像を形成する転写部と、
前記現像部および／または前記転写部において残存した前記液体現像剤を回収する回収部と、
前記回収部で回収された前記液体現像剤の特性の変化の度合いを検知する特性変化検知手段と、
前記記録媒体上に形成された前記像を定着する定着装置と、を有し、
前記特性の変化の度合いによって、現像条件を調整することを特徴とする。
これにより、得られる画像の画質の低下を防止することができ、かつ、環境に優しい画像形成装置を提供することができる。